(57)【要約】【課題】雨水等が立上り躯体の外面へ掛かりにくくなるようにして、雨水等による躯体外面の汚れを減少させるとともに、張出部で先端見切りの存在を強調させて、笠木装置の意匠的価値を高めることができる笠木装置を提供する。【解決手段】立上がり躯体２の頂部の内側にホルダ３を取り付け、外側には立上がり躯体２の外側に突出する先端見切り５を取り付けるとともに、上記立上がり躯体２の頂部を覆う笠木４の一側を上記ホルダ３に、他側を上記先端見切り５の基部に固定した。【選択図】        図１
2004263433.tif 000002
【特許請求の範囲】
【請求項１】
立上がり躯体の頂部の内側にホルダを取り付け、外側には立上がり躯体の外側に突出する先端見切りを取り付けるとともに、上記立上がり躯体の頂部を覆う笠木の一側を上記ホルダに、他側を上記先端見切りの基部に固定したことを特徴とする笠木装置。
【請求項２】
前記先端見切りの上部に上部カバーを配置し、この上部カバーの先端を前記先端見切りの先端に嵌合させ、上部カバーの基部を前記笠木の他側に固定した、請求項１記載の笠木装置。
【請求項３】
前記先端見切りの上部に上部カバーを配置し、この上部カバーの先端を前記先端見切りの先端に嵌合させ、上部カバーの基部を上記先端見切りの基部に間隔をおいて固定されたサブホルダに係止固定した、請求項１記載の笠木装置。
【発明の詳細な説明】
【０００１】
【発明の属する技術分野】
本発明は、立上がり躯体の頂部の化粧と防水を行う笠木装置に関する。
【０００２】
【従来技術】
従来の笠木装置は、ホルダによりパラペットの頂部に笠木材を取り付け、この笠木材の先端側に躯体固着部、側壁固着部、先端に立設壁部を有する巻き込み部を一体成形した化粧材を取り付けるようにしている（例えば、特許文献１参照）。
【０００３】
【特許文献１】
実開２０００−２０４７３１号公報（第２頁、図１）
【０００４】
しかしながら、上記構造の笠木装置は、化粧材の側壁固定部の外面の下部及び上部から、下折れ片と上折れ片とが僅かに突出しているに過ぎないため、雨水等がパラペットの外面へ掛ってこの面を垂れ流れて汚れを生ずるだけでなく、僅かに突出する折れ片は、その存在によって化粧材の意匠的価値を高めることはできないものである。
【０００５】
【発明が解決しようとする課題】
本発明は前記問題点を解消し、雨水等が立上り躯体の外面へ掛かりにくくなるようにして、雨水等による躯体外面の汚れを減少させるとともに、張出部で先端見切りの存在を強調させて、笠木装置の意匠的価値を高めることもできる笠木装置を提供することをその課題とする。
【０００６】
【課題を解決するための手段】
前記課題を解決するため、本発明に係る笠木装置は、立上がり躯体の頂部の内側にホルダを取り付け、外側には立上がり躯体の外側に突出する先端見切りを取り付けるとともに、上記立上がり躯体の頂部を覆う笠木の一側を上記ホルダに、他側を上記先端見切りの基部に固定したことを特徴とする。
【０００７】
なお、前記先端見切りの上部に上部カバーを配置し、この上部カバーの先端を前記先端見切りの先端に嵌合させ、上部カバーの基部を前記笠木の他側に固定摺るのが好ましい。
【０００８】
また、前記先端見切りの上部に上部カバーを配置し、この上部カバーの先端を前記先端見切りの先端に嵌合させ、上部カバーの基部を上記先端見切りの基部に間隔をおいて固定されたサブホルダに係止固定するようにしてもよい。
【０００９】
【発明の実施の形態】
以下に本発明に係る笠木装置の実施形態を図面について説明する。
【００１０】
図１〜図６は、第１の実施形態を示すものであり、この実施形態において符号１は笠木装置を示す。この笠木装置１は、立上がり躯体２の頂部へホルダ３により笠木４を取り付け、笠木４の先端側に先端見切り５を取り付けた構成である。
【００１１】
上記笠木装置１における立上がり躯体２は、建物の屋上、廊下等に設けられるパラペットやこれに類した部材であり、コンクリート、木材、金属、その他の建築用材により所要の形状に形成して、図１に示す通り頂部と内側面には防水層６を設け、外側面にはタイル、その他で表面化粧７を施す、そして、コンクリート製の場合は、後記ネジ９を締め込む部分にアンカープラグ８を埋め込む。
【００１２】
ホルダ３は、立上がり躯体２の頂部の外側へ図１に示す通りに乗せ、ネジ９で立上がり躯体２の頂部の内側（屋内側）上に固定されている。そして、外端側には、図２に示す通り立上り躯体２の内側へ斜めに垂下する係止片１０を設け、内端側には、斜めに立上がって笠木４の裏面を受ける笠木受部１１を設けたものであり、このホルダ３は、アルミニウムかその合金の押出成形または鋼材のプレス加工等で形成する。
【００１３】
先端見切り５は長尺の部材で、ネジ１５によって立上り躯体２の頂部の外側（屋外側）上に固定される固定部１６と、固定部１６の内端に設けた立上り片１７の上端から立上り躯体２の屋外側に張り出した張出部１８と、張出部１８の基部から笠木４側に向かって延出する斜辺１９と、その端部から笠木４の高い方の端部上に位置付けされる見切り部２０と、この見切り部２０の途中から垂下する止着縁２２とから構成されている。
【００１４】
笠木４は、立上がり躯体２の頂部の内側に雨水が流れる勾配で配設される。そして、内側の低い方の端部には、図２に示す通りホルダ３の係止片１０へ先端の鍵部１２を弾性変形で係合させる係合片１３を設け、高い方の端部には、先端見切り５の見切り部２０に設けた固定片と接合する起立縁１４を立ち上がらせたものであって、この笠木４も上記ホルダ３と同様の材料、工法で形成する。なお、笠木４の外側の端部の起立縁１４は上記先端見切り５の止着縁２２とはネジ２１によって結合されている。
【００１５】
上記第１の実施形態は、図２に示すホルダ３を、図１に示す通り立上がり躯体２の頂部の外側に乗せて、ホルダ３にネジ９を通し、アンカープラグ８へ締め込むと、ホルダ３は上がり躯体２の頂部の外側へ固定される。
【００１６】
ホルダ３が立上がり躯体２の頂部の外側へ固定されたら、頂部の内側に図３に示す先端見切り５の固定部１６を、図１に示す通り乗せて、見切り部１８の止着縁２２が笠木４の起立縁１４へ当たるように位置決めし、固定部１６にネジ１５を通して、アンカープラグ８へ締め込むと、先端見切り５も立上り躯体２の頂部へ固定される。
【００１７】
ホルダ３と先端見切り５とが立上り躯体２の頂部上に固定されたら、ホルダ３の上へ笠木４を乗せて、その先端に設けた起立縁１４を先端見切り５の見切り部２０から垂下する止着縁２２に合わせて、起立縁１４と止着縁２２にネジ２１を通して締め着けると、笠木４の高い方の端部が固定される。そこで、笠木４の低い方の端部を押し下げると、係合片１３の鉤部１２は、係合片１３の弾性変形により係止片１０の外面を滑り降りて、係止片１０先端に達するとこの部分へ掛かり合って係止片１０に係止して止着される。そこで、先端見切り５の見切り部２０の開放側と、張出部１８の基部と立上り躯体２の頂部との間にできる隙間へコーキング２４を充填すれば、張出部１８を有する先端見切り５によって意匠的価値と防水性が高められた笠木装置１を簡単に設置できる。なお、符号２３は隣接する笠木４間に配置されたジョイント板である。
【００１８】
図４〜図６は、第２の実施形態を示すものである。この実施形態において符号１で示す笠木装置１も、立上がり躯体２の頂部へホルダ３で笠木４を取り付け
て、笠木の先端側に先端見切り５を取り付けた構成である。
【００１９】
上記笠木装置１における立上がり躯体２は、図４に示す通り外側面にタイル等による化粧７を施さず、立上り躯体２とは離隔して外側に別の化粧壁２５を設ける。そして、この化粧壁２５と立上り躯体２とを接合部材２６で接合してある。
【００２０】
ホルダ３及び笠木４は、実施形態１と同様の構成である。
【００２１】
先端見切り５は、図４に示す通り立上り躯体２の頂部の外側に載置し、ネジ１５で立上り躯体２の頂部上へ固定する固定部１６と、図６に示す通り固定部１６の内端に設けた段２７付きの立上り片１７の上端から立上り躯体２の前方へ張り出させた張出部１８と、張出部１８の先端に設けて後記上部カバーの端部に嵌合する嵌合縁２８と、立上り片１７の上端から笠木４の高い方の端部上へ延出させた見切り部２０と、見切り部２０の端部から垂下させて、笠木４の起立縁１４および後記上部カバーの止着片３１と、ネジ２１で結合する止着縁２２とを備える構成である。
【００２２】
上記先端見切り５は、その上側に図４に示す通り離隔させて上部カバー２９を設ける。この上部カバー２９は、笠木４と同様に雨水の流れ勾配をつけるものであるから、上記張出部１８や見切り部２０にも上部カバー２９に合せた勾配を付けることが好ましい。そして、上部カバー２９の高い方の端部には、下方への折曲げで張出部１８の先端に設けた嵌合縁２８と噛み合い係合する屈曲部３０を設け、低い方の端部には、下方への折り返しによって見切り部２０の止着縁２２及び笠木４の起立縁１４とネジ２１で接合する止着片３１を設けた構成である。
【００２３】
上記第２の実施形態は、図５に示すホルダ３を、図４に示す通り立上がり躯体２の頂部の外側に乗せて、ホルダ３にネジ９を通し、アンカープラグ８へ締め込むと、ホルダ３は立上り躯体２の頂部の外側へ固定される。
【００２４】
ホルダ３が立上がり躯体２の頂部の外側へ固定されたら、頂部の外側に図６に示す先端見切り５の固定部１６を、図４に示すように載置して、見切り部１８の止着縁２２が笠木４の起立縁１４へ当たるように位置決めし、固定部１６にネジ１５を通して、アンカープラグ８へ締め込むと、先端見切り５も立上り躯体２の頂部の外側に固定される。
【００２５】
ホルダ３と、先端見切り５とが立上り躯体２の頂部上へ固定されたら、笠木４を図４に鎖線で示すように傾け、先端に設けた起立縁１４が先端見切り５の見切り部２０から垂下する止着縁２２の後側へ収まるようにして、笠木４の低い方の端部を押し下げる。すると、係合片１３の鉤部１２は、係合片１３の弾性変形により係止片１０の外面を滑り降りて、係止片１０先端に達すると、係止片１０に係止して止着される。そこで、止着片３１と止着縁２２と起立縁１４とにネジ２１を通して締め付けると、笠木４の高い方の端部も固定されるので、先端見切り５の見切り部２０と笠木４との間、先端見切り５の段部２６と立上り躯体２との隙間、張出部１８と化粧壁２５との間等にコーキング２４を充填すれば、２枚板構造の張出部１８を有する先端見切り５によって意匠的価値と防水性が高められた笠木装置１を簡単に設置できる。
【００２６】
図７〜図１０は、第３の実施形態を示すものである。この実施形態において符号１で示す笠木装置１も、立上がり躯体２の頂部へホルダ３で笠木４を取り付けて、笠木の先端側に先端見切り５を取り付けた構成である。
【００２７】
上記笠木装置１における立上がり躯体２、ホルダ３、笠木４は何れも実施形態１と同様の構成である。
【００２８】
先端見切り５は、図７に示す通り立上り躯体２の頂部の外側に載置され、ネジ１５で立上り躯体２の頂部上へ固定する固定部１６と、図９に示す通り固定部１６の内端に設けた段部２６付きの立上り片１７の上端から立上り躯体２の外側に張り出した張出部１８と、張出部１８の先端に設けて後記上部カバーの端部に嵌合する円断面の嵌合縁２８と、立上り片１７の上端から笠木４の高い方の端部上へ延出させた段部３２付きの見切り部２０と、見切り部２０から垂下させて、笠木４の起立縁１４と、ネジ２１で結合する止着縁２２とを備え、かつ、見切り部２０と固定部１６との中間を連結片３３で接合して補強した構成としてある。
【００２９】
上記先端見切り５は、その上側に図１０に示す通り離隔させて上部カバー２９を設ける。この上部カバー２９は、笠木４と同様に雨水の流れ勾配を付けるから、上記張出部１８や見切り部２０にも上部カバー２９に合せた勾配を付けることが好ましい。そして、上部カバー２９の高い方の端部には、下方への曲げ返しにより張出部１８の先端に設けた嵌合縁２８と噛み合い係合する溝状の屈曲部３０を設け、見切り部２０より更に笠木４上へ延び出す低い方の端部には、下方へ斜めに垂下する係合片３４を設けて、その先端に鉤部３５を形成した構成である。
【００３０】
上記上部カバー２９の低い方の端部に設けた係合片３４を固定するには、短尺のサブホルダ３６を用いる。このサブホルダ３６は、見切り部２０の段部３２より下側の部分へ取り付ける取付部３７と、上部カバー２８の係合片３４を係止させる係止部３８とで構成されるものであって、取付部３７は、見切り部２０の段部３２側に、段部３２に形成した係止溝３９に係合する係合頭４０を、反対側の端部には、見切り部２０の低い方の先端を挟持する係止溝４１が設けられている。また、係止部３８は、係止部３８の端部から立ち上がって、上部カバー２８の裏面に当たるように笠木４側へ延び出し、それから斜め下方へ垂下して下端へ、上部カバー２８における係合片３４の鉤部３５を係合させるようにしてある。
【００３１】
上記第３の実施形態は、図８に示すホルダ３を、図７に示す通り立上がり躯体２の頂部の外側に乗せて、ホルダ３にネジ９を通し、アンカープラグ８へ締め込むと、ホルダ３は上がり躯体２の頂部の外側へ固定される。
【００３２】
ホルダ３が立上がり躯体２の頂部の外側へ固定されたら、図９に示す先端見切り５の固定部１６を、図７に示す通り通り立上がり躯体２の頂部の内側に乗せて、見切り部１８の止着縁２２が笠木４の起立縁１４へ当たるように位置決めし、固定部１６にネジ１５を通して、アンカープラグ８へ締め込むと、先端見切り５も立上り躯体２の頂部の内側へ固定される。
【００３３】
ホルダ３と、先端見切り５とが立上り躯体２の頂部上へ固定されたら、笠木４を先端に設けた起立縁１４が先端見切り５の見切り部２０から垂下する止着縁２２の後側へ収まるようにする。そして、笠木４の低い方の端部を押し下げると、係合片１３の鉤部１２は、係合片１３の弾性変形により係止片１０の外面を滑り降りて、係止片１０の先端に達するとこの部分へ掛かり合い、係合片１３を係止片１０へ止着する。そこで、止着縁２２と起立縁１４とにネジ２１を通して締結すると、笠木４の高い方の端部も固定される。
【００３４】
笠木４が固定されたら先端見切り５の段部３２を有する見切り部２０に、図７に示す通り、サブホルダ３６の取付部３７を重ねて、その一端側の係合頭４０を段部３２に設けた係止溝３９へ係合させ、他端側に設けた係止溝４１を見切り部２２の先端に係合させれば、サブホルダ３６が見切り部２０へ固定される。そこで、先端見切り５の張出部１８の先端に設けた嵌合縁２８へ、上部カバー２９の高い方の端部に設けた屈曲部３０を係合させて置いて、上部カバー２９の低い方の端部を押し引き下げると、係合片３４の鉤部３５は、係合片３４の弾性変形により係止部３８の外面を滑り降りて、係止片３４先端に達するとこの部分へ掛かり合い、係合片３４を係止部３８へ止着するので、その後に、先端見切り５における立上がり部１７の段部２６と立上り躯体２の頂部との間にコーキング２４を充填すれば、２枚板構造の張出部１８を有する先端見切り５によって意匠的価値と防水性が高められた笠木装置１を簡単に設置できる。
【００３５】
さらに、上部カバー２９を、笠木のように、先端見切り５上に弾発的に係止させようとする場合、先端見切り５の一側（内側）に、ホルダ３の斜めの係止片１３に相当するものを形成することになるが、先端見切り５はホルダ３とは異なり、長尺の部材であるから、変形しにくく、上部カバー２９弾発的に係止させるのは難しい。しかし、先端見切り５に短尺のサブホルダ３６を間隔をおいて固定することにより、弾発係止が可能となり、ネジ、ボルト等を使用する必要がないので、迅速に施工することができる。
【００３６】
【発明の効果】
請求項１に係る発明によれば、先端見切りの張出部によって立上り躯体の化粧外面へ雨水等がかかりにくくなるため、雨水等による汚れを減少させてこの部分を長くきれいに保つことができ、また、張出部は先端見切りの存在間を強調してその意匠的価値を高めることができる。
【００３７】
請求項２に係る発明によれば、先端見切りに上部カバーを配置すると、上部カバーに化粧されて先端見切りの意匠的価値がより向上するとともに、先端見切り部分が２重構造になるので、強度が高くなる。
【００３８】
請求項３に係る発明によれば、先端見切りに短尺のサブホルダを間隔をおいて固定することにより、上部カバーの弾発係止が可能となり、ネジ、ボルト等を使用する必要がないので、迅速に施工することができる。
【図面の簡単な説明】
【図１】笠木装置の第１実施形態の設置後を示す断面図。
【図２】同上のホルダの全体及び笠木の一部分を示す斜視図。
【図３】先端見切りの一部分を示す斜視図。
【図４】笠木装置の第２実施形態の設置後を示す断面図。
【図５】同上のホルダの全体及び笠木の一部分を示す斜視図。
【図６】先端見切りの一部分及び上部カバーの一部分を示す斜視図。
【図７】笠木装置の第２実施形態の設置後を示す断面図。
【図８】同上のホルダの全体及び笠木の一部分を示す斜視図。
【図９】先端見切りの一部分を示す斜視図。
【図１０】サブホルダの全体及び上部カバーの一部分を示す斜視図。
【符号の説明】
１  笠木装置
２  立上がり躯体
３  ホルダ
４  笠木
５  先端見切り
１６  ホルダ部
１８  張出部
２０  見切り部
【図１】
2004263433.tif 000003
【図２】
2004263433.tif 000004
【図３】
2004263433.tif 000005
【図４】
2004263433.tif 000006
【図５】
2004263433.tif 000007
【図６】
2004263433.tif 000008
【図７】
2004263433.tif 000009
【図８】
2004263433.tif 000010
【図９】
2004263433.tif 000011
【図１０】
2004263433.tif 000012